(57)【要約】【課題】  電気部品を必要とせず、簡単な構成で気体溶解水を発生させて水槽の水中に微細気泡として吐出することができる携帯型の気体溶解水供給装置を提供する。【解決手段】  水槽１の水中に微細気泡を発生させるための持ち運び自在な携帯型の気体溶解水供給装置２である。気体溶解水供給装置２は、水と気体とを混合して溶解させるための溶解タンク３と、溶解タンク３に水を供給する水供給口４と、溶解タンク３に加圧した気体を供給する手動ポンプ５と、溶解タンク３内で水と気体とが混合された気体溶解水を減圧手段６で減圧して水槽１の水中に吐出するための吐出口７とを備える。【選択図】        図１
2010042394.tif 000002
【特許請求の範囲】
【請求項１】
水槽の水中に微細気泡を発生させるための持ち運び自在な携帯型の気体溶解水供給装置であって、水と気体とを混合して溶解させるための溶解タンクと、溶解タンクに水を供給する水供給口と、溶解タンク内に加圧した気体を供給する気体供給口と、溶解タンク内で水と気体とが混合された気体溶解水を減圧手段で減圧して水槽の水中に吐出するための吐出口とを備えて成ることを特徴とする携帯型の気体溶解水供給装置。
【請求項２】
溶解タンクに溶解タンク内を加圧するための再加圧手段を備えていることを特徴とする請求項１記載の携帯型の気体溶解水供給装置。
【請求項３】
気体供給口から溶解タンクに供給される空気が、大気よりも酸素濃度の高い酸素富化空気であることを特徴とする請求項１記載の携帯型の気体溶解水供給装置。
【請求項４】
溶解タンクに加圧した気体を供給する手動ポンプを備え、該手動ポンプに、ポンプ室と、手動で駆動することでポンプ室内を往復動するピストンと、ピストンを後退してポンプ室内を減圧した際に開いて空気をポンプ室内に吸込み且つピストンを前進させてポンプ室内を加圧した際に閉じる第１の弁を備えた気体吸込み部と、ピストンを前進させてポンプ室内を加圧した際に開いてポンプ室内の空気を溶解タンク側に加圧供給し且つピストンを後退させてポンプ室内を減圧した際に閉じる第２の弁を備えて成ることを特徴とする請求項１乃至請求項３のいずれか一項に記載の携帯型の気体溶解水供給装置。
【請求項５】
携帯型の気体溶解水供給装置により水槽の水中に微細気泡を発生させるための微細気泡発生方法であって、
上記携帯型の気体溶解水供給装置は、水と気体とを混合して溶解させるための溶解タンクと、溶解タンク内に水を供給する水供給口と、溶解タンクに加圧した気体を供給するための気体供給口と、溶解タンク内で水と気体とが混合された気体溶解水を水槽の水中に吐出するための吐出口と、吐出口から吐出する気体溶解水を減圧するための減圧手段とを備えており、
上記気体溶解水供給装置を用いて微細気泡を発生するに当たり、
上記水供給口から溶解タンク内に水が供給された状態で、気体供給口より溶解タンク内に気体を加圧供給すると共に、溶解タンク内で水と気体とが混合された気体溶解水を生成して高圧となった溶解タンク内に封入するステップと、
その後、溶解タンク内に加圧封入されている気体溶解水を減圧手段で減圧して吐出口から水槽の水中に吐出することで、水中に微細気泡を発生させるステップとを
備えていることを特徴とする微細気泡発生方法。
【発明の詳細な説明】
【技術分野】
【０００１】
本発明は、水槽の水中に微細気泡を発生させるための微細気泡発生方法及び携帯型の気体溶解水供給装置に関するものである。
【背景技術】
【０００２】
従来から、浴槽の水中に微細気泡を発生させるものが知られている。ところが、従来は、浴槽に微細気泡発生装置を取付けた固定式のものであるため装置が大掛かりとなり、コストが高く、また、微細気泡発生装置が備わっている浴槽を新築や改築の際に設置するのが一般的で、微細気泡発生装置が備わっていない既存の浴槽においては、微細気泡浴を楽しむことが出来ないという問題があった。
【０００３】
特に、既存の浴室においては、ＡＣ電源がないため、微細気泡発生装置を導入しようとしても簡単には導入できない。
【０００４】
そこで、既存の浴槽であっても、微細気泡浴ができるようにしたものとして、例えば、特許文献１に示される従来例が知られている。
【０００５】
この特許文献１に示された従来例は、必要な電力を手動式のダイナモで発電して充電器に蓄電し、充電された電源でマイクロモータを回し、スパイラルファンを回転して空気吸込み口から吸い込んだ空気を高圧空気室に送って高圧の空気をフィルタを介して浴槽の水中に吐出することで、水中に微細気泡を発生させるようにしている。
【０００６】
しかしながら、上記従来例にあっては、高圧の空気をフィルタを介して水中に吐出して微細気泡を発生させる方式のものであるから、空気を水に溶解させた空気溶解水を生成してこれを減圧して水中に吐出することにより微細気泡を発生させる方式のものに比べて、微細気泡を発生させるといえども気泡径が比較的大きい。
【０００７】
また、微細気泡発生装置を水中に入れた状態で、空気吸込み口は常時水面上に位置させて、空気吸込み口から空気を吸い続けなれればならない。このため、従来例にあっては、微細気泡発生装置と空気吸込み口とをホースで繋ぐと共に空気吸込み口を水面上に位置させるための空気袋が別途必要となり、ホースや浮き袋が入浴の邪魔になるという問題がある。
【０００８】
また、微細気泡を発生させている間中、空気吸込み口から常時空気を吸込み続けるため、空気の吸込まれる「ヒュー」という異音が常時発生するという問題がある。更に、空気吸込み口が水面上に位置しているので、浴槽内への人の出入りや、浴槽内に入っている人が動いたりすると、空気吸込み口から湯水が浸入し、安定して微細気泡を生成できないという問題がある。
【０００９】
また、上記従来例にあっては、手動式のダイナモ、蓄電器、制御器、マイクロモータ、スパイラルファン等を微細気泡発生装置に一体に組み込んであるので、構造が複雑で、大型化し、重量も重くなり、取扱いが面倒となり、更に、故障し易いという問題がある。
【特許文献１】特開２００７−２０３０２１号公報
【発明の開示】
【発明が解決しようとする課題】
【００１０】
本発明は上記の従来の問題点に鑑みて発明したものであって、簡単な構成で溶解タンク内に加圧気体を供給して気体溶解水を発生させて水槽の水中に微細気泡を吐出することができ、また、微細気泡発生時に空気を吸込む異音が発生せず、更に、コンパクトで取り扱いが容易な微細気泡発生方法及び携帯型の気体溶解水供給装置を提供することを課題とするものである。
【課題を解決するための手段】
【００１１】
上記課題を解決するために本発明の携帯型の気体溶解水供給装置は、水槽１の水中に微細気泡を発生させるための持ち運び自在な携帯型の溶解水供給装置２であって、水と気体とを混合して溶解させるための溶解タンク３と、溶解タンク３に水を供給する水供給口４と、溶解タンク３に加圧した気体を供給する気体供給口８と、溶解タンク３に加圧した気体を供給する気体供給口８と、溶解タンク３内で水と気体とが混合された気体溶解水を減圧手段６で減圧して水槽１の水中に吐出するための吐出口７とを備えて成ることを特徴とするものである。
【００１２】
このような構成とすることで、溶解タンク３内に水を入れ、更に、気体加圧供給手段を気体供給口８に接続して溶解タンク３内に加圧した気体を供給して加圧気体を水に溶解させる。このようにして気体溶解水が封入状態で溜まった溶解タンク３を水槽１内に入れ、吐出口７から吐出するようにして使用する。この場合、溶解タンク３内に封入された気体溶解水が減圧手段６で減圧されて吐出口７から水槽１内に吐出することで、水槽１の水中において微細気泡が発生することになる。また、微細気泡の発生に当たっては、あらかじめ水供給口４から溶解タンク３内に水を供給すると共に気体供給口８から加圧空気を供給して溶解タンク３内で加圧気体を水に溶解させて溶解タンク内で気体溶解水を生成し、溶解タンク３を水槽１内に入れて気体溶解水を減圧して吐出することで微細気泡を発生させるものであるから、従来のように充電器、制御器、マイクロモータ、スパイラルファン、ホース、空気袋等を必要とせず、構造が簡略化し且つ重量が軽くなり、コンパクト化が図れる。また、使用が終わると、溶解タンク３を手で持って、水槽１から引き上げて邪魔にならないところに持ち運ぶことができる。
【００１３】
また、溶解タンク３に溶解タンク３内を加圧するための再加圧手段２０を備えていることが好ましい。
【００１４】
このような構成とすることで、再加圧手段２０により溶解タンク３内の内圧を上昇させて、吐出口７からの吐水の流速を速くすることができ、より多くの微細気泡を水中に発生させることができる。
【００１５】
また、気体供給口８から溶解タンク３に供給される空気が、大気よりも酸素濃度の高い酸素富化空気であることが好ましい。
【００１６】
このような構成とすることで、簡単に酸素濃度の高い酸素富化空気の微細気泡を水槽１の水中に発生させることができ、酸素富化空気により疲労回復効果や肌の保湿性が向上する。
【００１７】
また、溶解タンク３に加圧した気体を供給する手動ポンプ５を備え、該手動ポンプ５に、ポンプ室９と、手動で駆動することでポンプ室９内を往復動するピストン１０と、ピストン１０を後退してポンプ室９内を減圧した際に開いて空気をポンプ室９内に吸込み且つピストン１０を前進させてポンプ室９内を加圧した際に閉じる第１の弁１１を備えた気体吸込み部１２と、ピストン１０を前進させてポンプ室９内を加圧した際に開いてポンプ室９内の空気を溶解タンク３側に加圧供給し且つピストン１０を後退させてポンプ室９内を減圧した際に閉じる第２の弁１３を備えることが好ましい。
【００１８】
このような構成とすることで、ピストン１０を手動で駆動するだけで、水を入れた溶解タンク３に空気を加圧供給することができ、構造が簡略化できる。
【００１９】
また、本発明の微細気泡発生方法は、携帯型の気体溶解水供給装置２により水槽１の水中に微細気泡を発生させる。上記携帯型の気体溶解水供給装置２は、水と気体とを混合して溶解させるための溶解タンク３と、溶解タンク３内に水を供給する水供給口４と、溶解タンク３に加圧した気体を供給するための気体供給口８と、溶解タンク３内で水と気体とが混合された気体溶解水を水槽１の水中に吐出するための吐出口７と、吐出口７から吐出する気体溶解水を減圧するための減圧手段６とを備えている。そして、本発明方法は、上記気体溶解水供給装置２を用いて微細気泡を発生するに当たり、上記水供給口４から溶解タンク３内に水が供給された状態で、気体供給口８より溶解タンク３内に気体を加圧供給すると共に、溶解タンク３内で水と気体とが混合された気体溶解水を生成して高圧となった溶解タンク３内に封入するステップと、その後、溶解タンク３内に加圧封入されている気体溶解水を減圧手段６で減圧して吐出口７から水槽１の水中に吐出することで、水中に微細気泡を発生させるステップとを備えていることを特徴とする。
【００２０】
このように溶解タンク３内に水を入れた状態で溶解タンク３内に加圧気体を供給すると共に溶解タンク３内で水と気体とが混合された気体溶解水を生成し、その後、溶解タンク３内に加圧封入した気体溶解水を減圧手段６で減圧して吐出口７から水槽１の水中に吐出するという簡単な方法で水中に微細気泡を発生させることができる。しかも、加圧空気を供給することで高圧となった溶解タンク３内の内圧を利用して、気体溶解水を減圧して吐出口７から水中に吐出することができ、従来のように充電器、制御器、マイクロモータ、スパイラルファン、ホース、空気袋等を必要とせず、コンパクトな携帯型の気体溶解水供給装置２を用いて簡単な方法で微細気泡を発生させることができる。
【発明の効果】
【００２１】
本発明は、上記のように溶解タンクと、水供給口と、加圧した気体を供給する気体供給口と、減圧手段と、吐出口とを備えているだけの簡単な構造で、携帯型の気体溶解水供給装置を構成することができ、溶解タンク内に封入された気体溶解水を吐出口から水中に減圧して吐出して微細気泡を発生させることができる。したがって、微細気泡を水中で発生するに当たって、従来のように、充電器、制御器、マイクロモータ、スパイラルファン、ホース、空気袋等を必要とせず、構造が簡略化し且つ重量が軽くなり、コンパクト化が図れ、取り扱いが容易となる。また、溶解タンク内に封入された気体溶解水を水中に減圧して吐出することで微細気泡を発生させるものであるから、微細気泡発生時に空気を吸込む異音が発生しない。しかも、携帯型でコンパクトであるので、使用する時のみ溶解タンクを水槽に入れて使用し、使用しない時は水槽から出して邪魔にならないように持ち運びが自在である。
【発明を実施するための最良の形態】
【００２２】
以下、本発明を添付図面に示す実施形態に基いて説明する。
【００２３】
溶解タンク３は手で持ち運びができるもので、溶解タンク３には水を供給する水供給口４と、溶解タンク３に加圧した気体を供給するための気体供給口８と、溶解タンク３内で水と気体とが混合された気体溶解水を減圧する減圧手段６と、吐出口７とが設けてある。
【００２４】
図１には一実施形態が示してあり、気体供給口８と水供給口４を兼用している例が示してあり、また、図５に示す実施形態、図６（ａ）（ｂ）に示す実施形態には、水供給口４とは別に気体供給口８を設けた例が示してある。
【００２５】
気体供給口８には加圧気体を供給するための気体加圧供給手段が着脱自在に取付けられる。気体加圧供給手段としては手動ポンプ、電動ポンプ、気体入りボンベ等がある。
【００２６】
図１乃至図３に示す実施形態、図４に示す実施形態では気体加圧供給手段が手動ポンプ５の例が示してある。
【００２７】
すなわち、本実施形態においては、水供給口４と気体供給口８が兼用しており、この水供給口４兼気体供給口８に手動ポンプ５を備えた蓋１５が着脱自在に取付けてある。溶解タンク３には吐出口７を構成するノズル１６が設けてあり、減圧手段６がノズル１６内に設けてある。また、ノズル１６には開閉弁１８が設けてある。
【００２８】
手動ポンプ５は、図２に示すように、ポンプ室９と、手動（足等の人体を用いて動かすことを含む）で駆動することでポンプ室９内を往復動するピストン１０と、第１の弁１１を備えた気体吸込み部１２と、第２の弁１３を備えた出口部１７とで構成してあり、このような構成の手動ポンプ５を備えた蓋１５を水供給口４兼気体供給口８に取付けると、第２の弁１３を有する出口部１７が水供給口４兼気体供給口８に嵌り込んで溶解タンク３と連通するようになっている。
【００２９】
ここで、手動ポンプ５は、手動によりピストン１０を図２（ａ）に示すように後退させると、ポンプ室９が減圧されて、第２の弁１３が閉じると共に第１の弁１１が開き、外気が気体吸込み部１２からポンプ室９内に吸引される。次に、手動によりピストン１０を図２（ｂ）のように前進させると、ポンプ室９が加圧されて、第１の弁１１が閉じると共に第２の弁１３が開き、ポンプ室９内の空気が加圧されて出口部１７から水供給口４兼気体供給口８を介して溶解タンク３内に供給される。同様にして、ピストン１０を手動により後退、前進を繰り返し操作することで、加圧された空気を溶解タンク３内に供給するようになっている。
【００３０】
上記のような構成の気体溶解水供給装置２は手で持ち運べる携帯型ものであり、使用に当たっては、手動ポンプ５を備えた蓋１５を取り外し、開閉弁１８を閉じた状態で、図３（ａ）のように水供給口４兼気体供給口８から溶解タンク３内に水を入れる。この場合、溶解タンク３内に水を満水にするのではなく、空気溜まりを残すように水を入れるもので、例えば溶解タンク３内の内容量の約５０〜８０％程度水を入れる。
【００３１】
上記のようにして溶解タンク３内に水を入れた後、図３（ｂ）のように、水供給口４兼気体供給口８に手動ポンプ５を備えた蓋１５を取付けて閉じ、この状態で、手動ポンプ５を手動で駆動して、溶解タンク３に気体（空気）を加圧して供給する。
【００３２】
次に、溶解タンク３内に水と加圧された気体を入れた状態で、図３（ｃ）のように溶解タンク３をシェイクして（揺り動かして）溶解タンク３内の水に気体を溶解して気体溶解水とする。
【００３３】
この場合、水が入っている溶解タンク３内に気体を加圧して供給することで、気体の一部が溶解タンク３内の水に加圧溶解されるが、上記のように溶解タンク３内に水と加圧された気体を入れた状態で溶解タンク３をシェイクすることで、よりいっそう加圧された気体が水に溶解されることになる。
【００３４】
次に、上記のように内部に水に気体が溶解した気体溶解水を封入している溶解タンク３を、手で持って浴槽あるいはその他の水槽１内の水中に入れ、開閉弁１８を開く。すると、気体溶解水を封入している溶解タンク３内は高圧となっているので、溶解タンク３内の内圧により気体溶解水がノズル１６先端の吐出口７から図３（ｄ）のように水中に吐出される。この場合、ノズル１６内に例えばベンチュリ管で形成された減圧手段６が設けてあるので、溶解タンク３内に封入された気体溶解水が減圧された状態で吐出口７から水中に放出されることになり、水に溶解した気体が減圧されて微細気泡となって析出して水槽１の水中に放出される。
【００３５】
このようにして水槽１の水中に微細気泡が発生することで、簡易に微細気泡浴ができる。本発明は、上記のように溶解タンク３内に封入された気体溶解水を吐出口７から減圧して水中に放出することにより微細気泡を発生させるので、微細気泡発生時に空気を吸込む異音が発生しない。
【００３６】
ここで、溶解タンク３は、溶解タンク３の容積と、溶解タンク３の重量と中に入れる水の量とにより、水中に沈むか、浮くかが決まる。
【００３７】
好ましくは、溶解タンク３内に約５０〜８０％程度水を入れると共に加圧空気を入れて気体溶解水とした状態で、溶解タンク３を水槽１内の水中に入れた際に、溶解タンク３が浮くようにするのがよい。この場合、溶解タンク３の一部が水中に沈むが、同時に先端が吐出口７となったノズル１６が水中に位置するようにする。このように溶解タンク３を水中に浮かせて使用すると、水槽１から溶解タンク３を手で取り出すのが容易に行える。また、吐出口７から気体溶解水が水中に放出されることで、溶解タンク３が水面を移動し、微細気泡浴を行いながら、同時に、水面を溶解タンク３が移動する動きを楽しむことができる。
【００３８】
ところで、吐出口７からの気体溶解水の吐出流速が遅くなると、微細気泡の発生量が少なくなる。そこで、手動ポンプ５を備えたものの場合、手動ポンプ５を操作して溶解タンク３内の内圧を上昇させて、気体の溶解量を増加させ、且つ、吐出口７からの気体溶解水の吐出の流速を速くし、多くの微細気泡を発生させることができる。特に、微細気泡を発生させていくと、次第に溶解タンク３内の内圧が低くなって、吐出口７からの流速が遅くなるので、このような場合は手動ポンプ５を操作して空気又は水（水中で手動ポンプ５を操作すると水が供給される）を溶解タンク３内に圧送して溶解タンク３内を再加圧するようにしてもよい。したがって、図１に示す実施形態においては水供給口４兼気体供給口８に取付ける蓋１５に備えた気体加圧供給手段である手動ポンプ５が溶解タンク３内を再加圧するための再加圧手段２０となっている。
【００３９】
また、図６（ａ）に溶解タンク３の水供給口４、気体供給口８とは別の位置に再加圧手段２０を設けた例であり、図６（ｂ）は溶解タンク３に気体供給口８と水供給口８とを別々に設けると共に水供給口８に再加圧手段２０を設けた例である。
【００４０】
気体溶解水供給装置２の使用が終わったり、使用しない時は、溶解タンク３を手で持って、水槽１から引き上げて邪魔にならない所に持ち運ぶことができる。
【００４１】
上記のように、本実施形態においては、手動ポンプ５を用いているので、電源、電気部品を使用することなく、簡単な構成で、気体溶解水を生成して、水槽１の水中に微細気泡を発生させることができ、また、電源、電気部品を使用しないので、水槽１内に入れて使用するものであるにもかかわらず、安全である。
【００４２】
図４には本発明の他の実施形態が示してある。本実施形態における気体溶解水供給装置２の基本的構成は前述の実施形態と同じであるので、以下、異なる構成、作用について説明し、重複する構成、作用は省略する。
【００４３】
本実施形態は、手動ポンプ５で溶解タンク３に供給する空気が、大気よりも酸素濃度の高い酸素富化空気であることに特徴がある。
【００４４】
図４には手動ポンプ５で酸素富化空気を溶解タンク３に供給するに当たり、前述の溶解タンク３の水供給口４兼気体供給口８に着脱自在に取付ける蓋１５に備えた手動ポンプ５の気体吸込み部１２に酸素富化膜１４を取付けた例が示してある。
【００４５】
本実施形態においては、手動ポンプ５のピストン１０を手動により駆動操作して、図４（ａ）のように後退させることで、ポンプ室９が減圧されて、第２の弁１３が閉じると共に第１の弁１１が開き、外気が酸素富化膜１４を介して気体吸込み部１２からポンプ室９内に吸引される。この場合、外気が酸素富化膜１４を通過することで、酸素富化空気となってポンプ室９内に吸引される。次に、手動により図４（ｂ）のように、ピストン１０を前進させるとポンプ室９が加圧さる第１の弁１１が閉じると共に第２の弁１３が開き、ポンプ室９内の酸素富化空気が加圧されて出口部１７から水供給口４兼気体供給口８を介して溶解タンク３内に供給される。同様にして、ピストン１０を手動により後退、前進を繰り返し操作することで、加圧された酸素富化空気を溶解タンク３内に供給するようになっている。
【００４６】
本実施形態の気体溶解水供給装置２の使用に当たっては、前述の実施形態と同様に、水供給口４兼気体供給口８から溶解タンク３内に水を入れ、水供給口４兼気体供給口８に手動ポンプ５を備えた蓋１５を取付けて閉じ、この状態で、手動ポンプ５を手動で駆動して、溶解タンク３に酸素富化空気を加圧して供給し、次に、溶解タンク３をシェイクして溶解タンク３内の水に酸素富化空気を溶解して気体溶解水（酸素富化空気溶解水）とする。そして、必要に応じて酸素富化膜１４等を取り外す。
【００４７】
次に、上記のように内部に水に気体が溶解した酸素富化空気溶解水が入っている溶解タンク３を手で持って水槽１内の水中に入れ、開閉弁１８を開き、酸素富化空気溶解水が減圧された状態で吐出口７から水中に放出され、水に溶解した酸素富化空気が減圧されて微細気泡となって析出して水槽１の水中に放出される。
【００４８】
このように酸素富化空気を微細気泡として水槽１内に発生させることで、水槽１内に身体を浸けた場合、酸素富化空気からなる微細気泡に包まれることとなって皮膚呼吸が促進され、また水槽１の水面上、即ち利用者の口や鼻付近に酸素富化空気を供給することができ、これにより利用者の心肺機能の負担を軽減することができ、且つ筋肉中の乳酸が酸素により分解される作用が促進されて疲労回復効果も得られる。
【００４９】
また、水槽１内の浴水の酸素濃度が高まるため、皮膚への角質層への水分浸透が溶存酸素量の高いことにより促進され、肌が保湿される。つまり酸素富化空気からなる微細気泡が水槽１内の浴水中に広く分散すると共に長く滞留することにより、水槽１内の浴水中の溶存酸素量がまんべんなく高くなり、角質層の酸素分圧より水槽１内の浴水の酸素分圧が高くなり、水槽１内に浸けた身体のどの部位においても浸透圧が生じて水分浸透が促進され、また溶存酸素が角質内天然保湿因子（ＮＭＦ）に作用して水分保持能力を向上させ、また溶存酸素が角質内の細胞間脂質に作用して水分保持能力を向上させ、これらにより肌の保湿性が向上することになる。
【００５０】
上記各実施形態においては、水供給口４兼気体供給口８に着脱自在に取付ける蓋１５に気体加圧供給手段としての手動ポンプ５を取付ける例を示したが、図５のように、水供給口４とは別に気体供給口８を設け、該気体供給口８に着脱自在に取付ける蓋１５に気体加圧供給手段としての手動ポンプ５を取付けてもよい。
【００５１】
上記例では加圧気体供給手段を蓋１５に取付けた例を示しているが、逆止弁を設けた気体供給口８に気体加圧手段を着脱自在に取付けるようにしてもよい。この例の場合は、気体供給口８に加圧気体供給手段を取付けることで逆止弁を開にしたり、加圧気体供給手段から加圧気体が供給されることで逆止弁を開にし、加圧気体供給手段から気体供給口８を介して加圧した空気を溶解タンク３内に供給するものである。また、加圧気体供給手段を取り外したり、加圧気体供給手段からの加圧気体の供給がなくなると、逆止弁が閉じるようになっている。
【００５２】
なお、前述の各実施形態においては、溶解タンク３内を再加圧するための再加圧手段２０を手動ポンプ５により構成した例を示したが、電動ポンプを用いて溶解タンク３内を再加圧するようにしてもよく、この場合は、電動ポンプが再加圧手段２０を構成することになる。
【００５３】
図７には本発明の更に他の実施形態が示してある。本実施形態においては、気体加圧供給手段を酸素富化空気を生成して加圧供給する酸素富化ユニット２１で構成した例が示してある。酸素富化ユニット２１は酸素富化空気生成部２２、エアポンプ２３を備えており、更に、エアポンプ２３に酸素富化空気供給管２４の一端部を接続し、該酸素富化供給管２４の途中に三方弁２５を設けて酸素富化供給管２４から三方弁２５を介して接続部２６を分岐してある。
【００５４】
図７の実施形態では溶解タンク３に水供給口４に再加圧手段２としての手動ポンプ５を取付け、溶解タンク３には水供給口４とは別に気体供給口８を設けてある。
【００５５】
そして、水供給口４から溶解タンク３内に水を入れ、水供給口４を閉じた状態で、図７（ａ）のように溶解タンク３に設けた気体供給口８を酸素富化ユニット２１の接続部２６に接続し、三方弁２５を切り換えてエアポンプ２３と接続部２６とを連通させ、酸素富化ユニット２１を運転して酸素富化空気生成部２２で生成しエアポンプ２３で加圧された酸素富化空気を気体供給口８から溶解タンク３内に供給すると共に溶解タンク３内の圧力を上昇させる。
【００５６】
その後、溶解タンク３を接続部２６から外す。この場合、気体供給口８には逆止弁が設けてあって、溶解タンク３内が高圧状態に保持される。次に、溶解タンク３をシェイクして溶解タンク３内の水に酸素富化空気を溶解して気体溶解水（酸素富化空気溶解水）とする。
【００５７】
その後、図７（ｂ）のように水槽１内に溶解タンク３を入れ、水槽１内の水中に入れ、開閉弁１８を開き、酸素富化空気溶解水が減圧された状態で吐出口７から水中に放出され、水に溶解した酸素富化空気が減圧されて微細気泡となって析出して水槽１の水中に放出される。
【００５８】
本実施形態においても溶解タンク３に再加圧手段２０が設けてある。本実施形態における再加圧手段２０は、手動ポンプ５を操作することで水と空気とを吸込んで加圧混合した状態で溶解タンク３に供給するようになっている。
【００５９】
図８には本実施形態における手動ポンプ５よりなる再加圧手段２０の詳細が示してある。本実施形態における手動ポンプ５は、ポンプ室９と、ピストン１０と、水用逆止弁２７と、気体導入管２８と、気体逆止弁２９と、タンク逆止弁３０とで構成してある。
【００６０】
ピストン１０は手動で駆動することでポンプ室９内で往復するものである。また、水用逆止弁２７は図８においてはピストン１０に設けてあり、ピストン１０を後退させてポンプ室９を減圧することで開き且つピストン１０を前進させてポンプ室９を加圧することで閉となるようになっている。気体導入管２８は一端部がポンプ室９と連通するように設けてあり、該気体導入管２８は溶解タンク３の外面に沿って吐出口７と反対側に向けて導出してありその導出先端が吸気口３１となっている。気体逆止弁２９は気体導入管２８に設けてあり、ピストン１０を後退させてポンプ室９を減圧することで開き且つピストン１０を前進させてポンプ室９を加圧することで閉となるようになっている。タンク逆止弁３０は、ポンプ室９と溶解タンク３とを連通接続する部分に設けてあり、ピストン１０を後退させてポンプ室９を減圧することで閉じ且つピストン１０を前進させてポンプ室９を加圧することで開くようになっている。
【００６１】
本実施形態において、吐出口７を下にして水槽１内に浮かべると、吐出口７及びピストン１０部分が水中に沈み、気体導入管２８の先端の吸気口３１が水面上方に位置するようになっている。
【００６２】
そして、本実施形態においても、微細気泡を発生していくと、溶解タンク３内の圧力が次第に低下してきて、吐出口７からの気体溶解水の吐出の流速が遅くなり、微細気泡の発生量が少なくなってくるので、このような場合は、再加圧手段２０である手動ポンプ５を用いて水と空気を混合した状態で溶解タンク３内に加圧して供給する。
【００６３】
すなわち、本実施形態においては、ピストン１０を手動で後退させてポンプ室９を減圧することで水用逆止弁２７が開いて水槽１の水をポンプ室９内に吸引すると共に、気体逆止弁２９が開いて空気をポンプ室９内に吸引して、これによりポンプ室９内において水と空気とを混合する。次に、ピストン１０を前進させてポンプ室９を加圧することで、ポンプ室９内の上記水と空気とが加圧されていっそう空気と水との混合が促進され、一部の空気が水に溶解する。このようにポンプ室９内を加圧すると、同時にタンク逆止弁３０が開き、ポンプ室９内で加圧された空気と混合された水又は空気溶解水を溶解タンク３内に圧入する。
【００６４】
溶解タンク３内に加圧された空気と混合された水又は空気溶解水が溶解タンク３内に圧入されると、溶解タンク３内が再加圧され、同時に加圧供給された空気と混合された水又は空気溶解水が、溶解タンク３内に残っている気体溶解水と混合されることになり、供給された空気の一部は気体溶解水に溶解して溶解タンク３内の気体溶解水の量が増える。
【００６５】
したがって、溶解タンク３内の圧力が上昇し且つ溶解タンク３内の気体溶解水の量が増えるので、吐出口７からの流速を速くし、微細気泡の発生量が減少しないようにできる。
【００６６】
なお、この実施形態において、吸気口３１にエアポンプを接続してエアーを強制的に加圧供給するようにしてもよい。
【図面の簡単な説明】
【００６７】
【図１】本発明の一実施形態の概略図である。
【図２】（ａ）（ｂ）は同上の手動ポンプの一実施形態の作動順序を示す説明図である。
【図３】（ａ）（ｂ）（ｃ）（ｄ）は同上の使用順序を示す概略説明図である。
【図４】（ａ）（ｂ）は同上の手動ポンプの他の実施形態の作動順序を示す説明図である。
【図５】本発明の他の実施形態の概略図である。
【図６】（ａ）（ｂ）はそれぞれ再加圧手段を設けた各例を示す概略図である。
【図７】本発明の更に他の実施形態を示し、（ａ）は酸素富化ユニットから溶解タンクに酸素富化空気を供給している状態の説明図であり、（ｂ）は使用状態の説明図である。
【図８】同上の再加圧手段部分の断面図である。
【符号の説明】
【００６８】
１  浴槽
２  気体溶解水供給装置
３  溶解タンク
４  水供給口
５  手動ポンプ
６  減圧手段
７  吐出口
９  ポンプ室
１０  ピストン
１１  第１の弁
１２  気体吸込み部
１３  第２の弁
１４  酸素富化膜
【図１】
2010042394.tif 000003
【図２】
2010042394.tif 000004
【図３】
2010042394.tif 000005
【図４】
2010042394.tif 000006
【図５】
2010042394.tif 000007
【図６】
2010042394.tif 000008
【図７】
2010042394.tif 000009
【図８】
2010042394.tif 000010